(57)【要約】【課題】レイリーフェージング環境下においても最適な状態での復調動作が可能な、地上波ディジタル放送用受信機を得る。【解決手段】電力演算器５による演算によって求められた、各ＯＦＤＭシンボル期間ごとの周波数ドメインデータの電力値は、ゲインコントロール回路６に入力される。ゲインコントロール回路６は、電力演算器５によって算出された周波数ドメインデータの電力値が平均電力値Ｐ１よりも大きい場合は１．０未満のゲインを、小さい場合は１．０よりも大きいゲインを、等しい場合はゲイン１．０を、各ＯＦＤＭシンボル期間ごとに、フーリエ変換部４から入力された周波数ドメインデータＩ（ｆ），Ｑ（ｆ）に乗算する。これにより、各ＯＦＤＭシンボル期間ごとの周波数ドメインデータの電力値が平均電力値Ｐ１に近付くようにゲイン補正された、データＩ１，Ｑ１が得られる。【選択図】        図１
2004282420.tif 000002
【特許請求の範囲】
【請求項１】
時間ドメインデータをフーリエ変換することにより周波数ドメインデータを生成するフーリエ変換部と、
所定数のシンボル期間ごとの前記周波数ドメインデータの電力値の演算を行う演算部と、
前記演算部による前記演算の結果に基づいて、前記シンボル期間ごとに前記周波数ドメインデータのゲインコントロールを行うゲインコントロール部と
を備える、地上波ディジタル放送用受信機。
【請求項２】
前記演算部による前記演算によって求められた前記電力値が、予め設定された不感帯に属するか否かを判別する判別部をさらに備え、
前記判別部による判別の結果、前記電力値が前記不感帯に属する場合、前記ゲインコントロール部は前記ゲインコントロールを行わない、請求項１に記載の地上波ディジタル放送用受信機。
【請求項３】
前記ゲインコントロール部は、前記電力値と前記ゲインコントロール部のゲインとの関係が記述されたゲイン特性に従って、前記ゲインコントロールを行い、
前記ゲイン特性を所望に変化させるための変換テーブルが記憶された記憶部をさらに備える、請求項１又は２に記載の地上波ディジタル放送用受信機。
【請求項４】
一つの前記シンボル期間内には、規格に応じて数が異なる、複数の前記周波数ドメインデータが含まれており、
前記演算部は、複数の前記周波数ドメインデータの各々について前記周波数ドメインデータの前記電力値の前記演算を行い、
一つの前記シンボル期間に関して前記演算部で行われる前記演算の回数は、前記規格に対応して可変である、請求項１〜３のいずれか一つに記載の地上波ディジタル放送用受信機。
【請求項５】
前記シンボル期間の前記所定数は可変である、請求項１〜４のいずれか一つに記載の地上波ディジタル放送用受信機。
【請求項６】
前記フーリエ変換部から出力された前記周波数ドメインデータを遅延させて前記ゲインコントロール部に入力する遅延部をさらに備え、
前記演算が行われた前記シンボル期間と、その結果に基づいて前記ゲインコントロールが行われる前記シンボル期間とは同一である、請求項１〜５のいずれか一つに記載の地上波ディジタル放送用受信機。
【発明の詳細な説明】
【０００１】
【発明の属する技術分野】
この発明は、ＡＲＩＢ  ＳＴＤ  Ｂ−３１の“地上波ディジタルテレビジョン放送の伝送方式”で示されているディジタル放送（以下「地上波ディジタル放送」と称する）用の受信機に関するものである。
【０００２】
【従来の技術】
従来の地上波ディジタル放送用受信機は、チューナーから出力された受信信号をＡ／Ｄ変換部で標本化及び量子化して時間ドメインデータを生成し、各種の処理を行った後、フーリエ変換部によって、時間ドメインデータを周波数ドメインデータに変換する。周波数ドメインデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式における副搬送波ごとの成分を表し、データ再生部が、周波数ドメインデータに基づいて、各副搬送波の変調方式に応じた復調を行うことによって、送信データが再生される（例として、テレビジョン学会技術報告、ｖｏｌ．２０、ｎｏ．５３、ｐｐ６１−６６、ＯＣＴ．１９９６に紹介されている、木村他“ＯＦＤＭ復調における周波数同期の検討”参照）。
【０００３】
また、従来の地上波ディジタル放送用受信機は、時間ドメインデータに基づいて算出した電力値を利用して、チューナーのオートゲインコントロール（ＡＧＣ）を行う。ＡＧＣによって、チューナーから出力される受信信号の平均電力が一定になるように制御される（例えば、下記の特許文献１参照）。
【０００４】
【特許文献１】
特開２００２−２１８３４１号公報
【０００５】
【発明が解決しようとする課題】
従来の地上波ディジタル放送用受信機では、受信側が固定しており遅延波がない直接波を受信している場合や、受信側が固定しており遅延波があるマルチパス環境下では、ＡＧＣのフィードバックループによって、受信信号の平均電力が一定に制御された最適な状態で復調動作を行うことが可能となる。
【０００６】
しかしながら、受信側及び送信側の一方又は双方が移動している時など、時間的に高速に変動する遅延波が受信される環境下（以下「レイリーフェージング」と称する）では、変動する受信信号の変化に対して、ＡＧＣのフィードバックループの応答が追いつけない。そのために、受信信号の平均電力を一定に制御することができず、復調動作が最適な状態で行えないという問題がある。
【０００７】
本発明は、かかる問題を解決するために成されたものであり、レイリーフェージング環境下においても最適な状態での復調動作が可能な地上波ディジタル放送用受信機を得ることを目的とするものである。
【０００８】
【課題を解決するための手段】
この発明によれば、地上波ディジタル放送用受信機は、時間ドメインデータをフーリエ変換することにより周波数ドメインデータを生成するフーリエ変換部と、所定数のシンボル期間ごとの周波数ドメインデータの電力値の演算を行う演算部と、演算部による演算の結果に基づいて、シンボル期間ごとに周波数ドメインデータのゲインコントロールを行うゲインコントロール部とを備える。
【０００９】
【発明の実施の形態】
実施の形態１．
図１は、本発明の実施の形態１に係る地上波ディジタル放送用受信機の構成を示すブロック図である。図１に示すように、本実施の形態１に係る地上波ディジタル放送用受信機は、チューナー１の出力に接続されたＡ／Ｄコンバータ２と、Ａ／Ｄコンバータ２の出力に接続された時間ドメインデータ処理部３と、時間ドメインデータ処理部３の出力に接続されたフーリエ変換部４と、フーリエ変換部４の出力に接続された周波数ドメインデータ処理部８とを備えている。周波数ドメインデータ処理部８は、フーリエ変換部４の出力に接続された電力演算器５と、フーリエ変換部４及び電力演算器５の各出力に接続されたゲインコントロール回路６と、ゲインコントロール回路６の出力に接続されたデータ再生部７とを備えている。
【００１０】
以下、本実施の形態１に係る地上波ディジタル放送用受信機の動作について説明する。チューナー１から出力された受信信号は、Ａ／Ｄコンバータ２によって標本化及び量子化された後、時間ドメインデータ処理部３に入力される。時間ドメインデータ処理部３は、時間ドメインデータＩ（ｔ），Ｑ（ｔ）を生成して出力する。ここで、「ｔ」は時間を意味する。時間ドメインデータ処理部３は、時間ドメインデータＩ（ｔ），Ｑ（ｔ）の電力値を算出して、ＡＧＣ信号としてチューナー１にフィードバック入力する。これにより、チューナー１から出力される受信信号は、平均電力が一定になるようにオートゲインコントロールされる。
【００１１】
地上波ディジタル放送はＯＦＤＭ伝送方式であるため、時間ドメインデータに対してフーリエ変換を行うことで、周波数ドメインデータ（「副搬送波」「有効キャリア」と同義）を得る。具体的に、時間ドメインデータ処理部３から出力された時間ドメインデータＩ（ｔ），Ｑ（ｔ）はフーリエ変換部４に入力され、フーリエ変換部４は、時間ドメインデータＩ（ｔ），Ｑ（ｔ）をフーリエ変換することにより、周波数ドメインデータＩ（ｆ），Ｑ（ｆ）を生成して出力する。ここで、「ｆ」は周波数を意味する。
【００１２】
図２〜４は、ＯＦＤＭシンボル期間と、周波数ドメインデータの電力値との関係をそれぞれ示す図である。受信側が固定しており遅延波がない直接波を受信している場合には、フーリエ変換部４から出力される周波数ドメインデータＩ（ｆ），Ｑ（ｆ）の電力値は、図２に示すような一定した電力値（平均電力値Ｐ１）となる。また、受信側が固定しており遅延波があるマルチパス環境下で受信した場合には、図３に示すように、各周波数ドメインデータ単位で見ると平均電力値Ｐ１に対して増減があるものの、チューナー１のＡＧＣによって、ＯＦＤＭシンボル期間ＴＳ１〜ＴＳ４単位で見ると平均電力値Ｐ１と等しくなっている。
【００１３】
図１に示した周波数ドメインデータ処理部８は、周波数ドメインデータの電力値が平均電力値Ｐ１である場合に、最も正しく復調動作を行うように設定されている。そのため、フーリエ変換部４から出力される周波数ドメインデータＩ（ｆ），Ｑ（ｆ）の各電力値が平均電力値Ｐ１を保つように、制御する必要がある。
【００１４】
しかしながら、受信側及び送信側の一方又は双方が移動している場合など、上記したレイリーフェージング環境下では、図４に示すように、ＯＦＤＭシンボル期間ＴＳ１〜ＴＳ４単位で見ても、周波数ドメインデータの電力値Ｐｓ１〜Ｐｓ４が平均電力値Ｐ１に対して増減を持つようになってしまう。これは、チューナー１へのフィードバックループが高速に変動する遅延波の影響に追いつけないために発生するものであり、その結果、周波数ドメインデータ処理部８の復調動作に悪影響を及ぼし、誤った復調動作を行う原因になっている。
【００１５】
チューナー１へのフィードバックループの応答を速くすると、外乱に対する過度の応答や発振の問題という別の要因が発生する可能性がある。そのため、本実施の形態１に係る地上波ディジタル放送用受信機では、フィードバックループの応答は従来のまま変更せずに、以下に述べる制御を行う。
【００１６】
図１を参照して、フーリエ変換部４から出力された周波数ドメインデータＩ（ｆ），Ｑ（ｆ）は、電力演算器５及びゲインコントロール回路６に入力される。電力演算器５は、各周波数ドメインデータＩ（ｆ），Ｑ（ｆ）に関してＩ（ｆ）×Ｉ（ｆ）＋Ｑ（ｆ）×Ｑ（ｆ）なる演算を行い、その演算結果をＯＦＤＭシンボル期間単位で積算して、その積算値を、一つのＯＦＤＭシンボル期間内に含まれる周波数ドメインデータの個数で除算することにより、各ＯＦＤＭシンボル期間ごとの周波数ドメインデータの電力値（平均値）を算出する。電力演算器５による演算によって求められた、各ＯＦＤＭシンボル期間ごとの周波数ドメインデータの電力値は、ゲインコントロール回路６に入力される。
【００１７】
図５は、ゲインコントロール回路６のゲイン特性を示す図である。横軸は、各ＯＦＤＭシンボル期間ごとの周波数ドメインデータの電力値であり、縦軸は、ゲインコントロール回路６のゲインである。ゲインコントロール回路６は、図５に示したゲイン特性に従い、電力演算器５によって算出された周波数ドメインデータの電力値が平均電力値Ｐ１よりも大きい場合は１．０未満のゲイン（マイナスゲイン）を、小さい場合は１．０よりも大きいゲイン（プラスゲイン）を、等しい場合はゲイン１．０を、各ＯＦＤＭシンボル期間ごとに、フーリエ変換部４から入力された周波数ドメインデータＩ（ｆ），Ｑ（ｆ）に乗算する。これにより、各ＯＦＤＭシンボル期間ごとの周波数ドメインデータの電力値が平均電力値Ｐ１に近付くようにゲイン補正された、データＩ１，Ｑ１が得られる。なお、平均電力値Ｐ１は、製造段階において、直接波しかない状態（ＡＷＧＮ）で受信しているときの電力値を算出して、予め装置に設定されている。
【００１８】
ゲインコントロール回路６から出力されたデータＩ１，Ｑ１は、データ再生部７に入力され、データ再生部７は、復調（再生）データＩｓ，Ｑｓを生成して出力する。
【００１９】
このように本実施の形態１に係る地上波ディジタル放送用受信機によれば、電力演算器５は、周波数ドメインデータＩ（ｆ），Ｑ（ｆ）を用いて、各ＯＦＤＭシンボル期間ごとの周波数ドメインデータの電力値を算出する。そして、ゲインコントロール回路６は、各ＯＦＤＭシンボル期間ごとの周波数ドメインデータの電力値が平均電力値Ｐ１に近付くように、各ＯＦＤＭシンボル期間ごとに周波数ドメインデータＩ（ｆ），Ｑ（ｆ）のゲインコントロールを行う。これにより、少ないハードウェア追加で、移動受信等に起因するレイリーフェージングの悪影響（即ち電力値の増減）を補正することができる。その結果、周波数ドメインデータ処理部８は、レイリーフェージング環境下においても最適な状態で復調動作を行うことが可能となり、誤った復調動作が行われることを回避できる。
【００２０】
実施の形態２．
地上波ディジタル放送の伝送路は、地形等の周辺環境によって変化し、また何らかの外乱によっても変化すると予想される。従って、一般の環境下では、たとえ受信側及び送信側の双方が固定されている場合であっても、各ＯＦＤＭシンボル期間ごとの周波数ドメインデータの電力値は、ある微小範囲内で変化し続けていると考えられる。上記実施の形態１では、図５に示したようにゲイン特性が単純な一直線状であるため、このような微小範囲内での変化によっても、ゲインコントロール回路６によって周波数ドメインデータＩ（ｆ），Ｑ（ｆ）のゲインコントロールが行われることになる。即ち、受信側及び送信側の双方が固定されている場合であっても、移動受信と判断されてゲインコントロールが行われることになる。本実施の形態２では、これを回避し得る地上波ディジタル放送用受信機について説明する。
【００２１】
図６は、本発明の実施の形態２に係る地上波ディジタル放送用受信機の構成を示すブロック図である。上記実施の形態１を基礎として、電力演算器５とゲインコントロール回路６との間に、不感帯判別回路１０が追加されている。
【００２２】
以下、本実施の形態２に係る地上波ディジタル放送用受信機の動作について説明する。上記実施の形態１と同様に、フーリエ変換部４から出力された周波数ドメインデータＩ（ｆ），Ｑ（ｆ）は電力演算器５に入力され、電力演算器５は、各ＯＦＤＭシンボル期間ごとの周波数ドメインデータの電力値を算出する。
【００２３】
電力演算器５による演算によって求められた、各ＯＦＤＭシンボル期間ごとの周波数ドメインデータの電力値は、不感帯判別回路１０に入力される。不感帯判別回路１０は、電力演算器５から入力された各ＯＦＤＭシンボル期間ごとの周波数ドメインデータの電力値が、予め設定された不感帯に属するか否かを判別する。例えば平均電力値Ｐ１±１の範囲が不感帯として設定されており、各ＯＦＤＭシンボル期間ごとの周波数ドメインデータの電力値がこの範囲に属している場合には、その電力値を平均電力値Ｐ１に補正して、ゲインコントロール回路６に入力する。一方、電力演算器５から入力された各ＯＦＤＭシンボル期間ごとの周波数ドメインデータの電力値が不感帯に属していない場合には、その電力値をそのままゲインコントロール回路６に入力する。
【００２４】
図７は、ゲインコントロール回路６のゲイン特性を示す図である。不感帯判別回路１０による上記の処理の結果、ゲインコントロール回路６のゲイン特性は、不感帯に対応する範囲内では全てゲインが１．０となっている。
【００２５】
このように本実施の形態２に係る地上波ディジタル放送用受信機によれば、不感帯判別回路１０は、電力演算器５による演算によって求められた、各ＯＦＤＭシンボル期間ごとの周波数ドメインデータの電力値が、予め設定された不感帯に属するか否かを判別する。そして、不感帯判別回路１０による判別の結果、その電力値が不感帯に属する場合、ゲインコントロール回路６はゲインコントロールを行わない（即ちゲインを１．０とする）。従って、各ＯＦＤＭシンボル期間ごとの周波数ドメインデータの電力値が、周辺環境や外乱によって微妙に変化している場合に、ゲインコントロール回路６によってゲインコントロールが行われることを回避できる。即ち、受信側及び送信側の双方が固定されている場合に、移動受信と判断されてゲインコントロールが行われることを回避でき、安定した復調動作を実現できる。
【００２６】
実施の形態３．
図８は、本発明の実施の形態３に係る地上波ディジタル放送用受信機の構成を示すブロック図である。上記実施の形態１を基礎として、電力演算器５とゲインコントロール回路６との間に、ＲＯＭ１５が追加されている。
【００２７】
上記実施の形態１では、ゲインコントロール回路６は、図５に示した一直線状のゲイン特性に従って、周波数ドメインデータＩ（ｆ），Ｑ（ｆ）のゲインコントロールを行っていた。ＲＯＭ１５には、このゲイン特性を所望に変化させるための変換テーブルが記憶されている。ゲインコントロール回路６は、ＲＯＭ１５内に記憶されている変換テーブルに従って、ゲイン特性を変化させる。
【００２８】
図９は、変換テーブルを用いて変換された後の、ゲインコントロール回路６のゲイン特性を示す図である。周波数ドメインデータの電力値が平均電力値Ｐ１よりも極端に小さいデータは、チューナー１からの受信信号そのものがレイリーフェージングの悪影響を受けた、信頼性の低いデータであると考えられる。このようなデータは、ゲインコントロール回路６によってプラスゲインコントロールする必要性に乏しいため、電力値Ｐａ以下の領域ではプラスゲインを一定値としている。また、周波数ドメインデータの電力値が平均電力値Ｐ１よりも極端に大きいデータは、データの信頼性が高いため、後段が使用する有効データに対してオーバーフローさせない程度にマイナスゲインコントロールすれば足りる。よって、電力値Ｐｂ以上の領域ではマイナスゲインを一定値としている。このように、プラスマイナスのゲインを一定値に制限することにより、ゲインコントロール回路６内でゲインを乗算するためのハードウェア構成を小さくできるという効果が得られる。
【００２９】
さらに、上記実施の形態２と同様の考えに基づき、平均電力値Ｐ１の近傍の領域では、微小範囲内での変化に応じたゲインコントロールを回避すべく、ゲインを１．０としている。図８に示したゲインコントロール回路６は、図９に示した非線形のゲイン特性に従って、ＯＦＤＭシンボル期間ごとに周波数ドメインデータＩ（ｆ），Ｑ（ｆ）のゲインコントロールを行う。
【００３０】
なお、高速移動受信時の変換テーブルや低速移動受信時の変換テーブル等、複数種類の変換テーブルをＲＯＭ１５に記憶しておき、使用状況に応じて、複数の変換テーブルの中から適切な変換テーブルを選択し、その選択された変換テーブルによってゲイン特性を変換する構成としても良い。これにより、多様な移動受信に対応することが可能となる。
【００３１】
また、以上の説明では、上記実施の形態１を基礎として本実施の形態３に係る発明について述べたが、本実施の形態３に係る発明は、上記実施の形態２にも適用することができる。
【００３２】
このように本実施の形態３に係る地上波ディジタル放送用受信機によれば、コントロール回路６のゲイン特性を、ＲＯＭ１５内に記憶されている変換テーブルによって、所望の特性に変換することができる。そのため、多様な移動方法が想定される移動受信において、それぞれの移動方法に応じた最適なゲイン特性を実現でき、周波数ドメインデータＩ（ｆ），Ｑ（ｆ）のゲインコントロールを適切に行うことが可能となる。
【００３３】
実施の形態４．
地上波ディジタル放送では、地上波ディジタル放送の規格に応じて、一つのＯＦＤＭシンボル期間内に含まれる周波数ドメインデータの数が異なる。例えば、地上波ディジタル放送の規格にあるモードやセグメント受信方式（１セグメント受信、１３セグメント受信）に応じて、周波数ドメインデータの数が異なる。本実施の形態４では、一つのＯＦＤＭシンボル期間内に含まれる周波数ドメインデータの数が異なっても、各ＯＦＤＭシンボル期間ごとの周波数ドメインデータの電力値を適切に算出し得る地上波ディジタル放送用受信機について説明する。
【００３４】
図１０は、本発明の実施の形態４に係る地上波ディジタル放送用受信機の構成を示すブロック図である。上記実施の形態３を基礎として、電力演算器５の代わりに電力演算器２０が設けられている。電力演算器２０には、モードを示す信号Ｓ１と、セグメント受信方式を示す信号Ｓ２とが入力される。なお、モードやセグメント数を示す情報は、送信側から送られてくるデータの中に、ＴＭＣＣデータとして挿入されている。
【００３５】
図１１は、規格に応じて一つのＯＦＤＭシンボル期間内に含まれる周波数ドメインデータの数を示す図である。一つのＯＦＤＭシンボル期間内に含まれる周波数ドメインデータの数は、例えば、モード１で１セグメント受信の場合は９６個、モード３で１３セグメント受信の場合は４９９２個であり、規格によってかなりの差があることが分かる。
【００３６】
各ＯＦＤＭシンボル期間ごとの周波数ドメインデータの電力値を正確に求めるためには、一つのＯＦＤＭシンボル期間内に含まれる全ての周波数ドメインデータに関して、それぞれ電力値の演算を実行する必要がある。
【００３７】
図１０に示した電力演算器２０は、電力演算器５と同様に、各周波数ドメインデータＩ（ｆ），Ｑ（ｆ）に関してＩ（ｆ）×Ｉ（ｆ）＋Ｑ（ｆ）×Ｑ（ｆ）なる演算を行い、その演算結果をＯＦＤＭシンボル期間単位で積算して、その積算値を、一つのＯＦＤＭシンボル期間内に含まれる周波数ドメインデータの個数で除算することにより、各ＯＦＤＭシンボル期間ごとの周波数ドメインデータの電力値を算出する。このとき、電力演算器２０は、信号Ｓ１，Ｓ２に基づいて、一つのＯＦＤＭシンボル期間内に含まれる周波数ドメインデータの数を割り出し、その割り出された数と同じ回数だけ、Ｉ（ｆ）×Ｉ（ｆ）＋Ｑ（ｆ）×Ｑ（ｆ）なる演算を、各ＯＦＤＭシンボル期間ごとに実行する。一つのＯＦＤＭシンボル期間に関して電力演算器２０で行われる上記演算の回数は、信号Ｓ１，Ｓ２に応じて可変となる。
【００３８】
なお、以上の説明では、上記実施の形態３を基礎として本実施の形態４に係る発明について述べたが、本実施の形態４に係る発明は、上記実施の形態１，２にも適用することができる。
【００３９】
このように本実施の形態４に係る地上波ディジタル放送用受信機によれば、地上波ディジタル放送の規格にあるモードやセグメント受信方式に応じて、一つのＯＦＤＭシンボル期間内に含まれる周波数ドメインデータの数が変化した場合であっても、電力演算器２０は、各ＯＦＤＭシンボル期間ごとの周波数ドメインデータの電力値を正確に算出することができる。その結果、移動受信による電力値の変化を正しく反映でき、後段の復調動作に対して適切なゲインコントロールができるため、より正確な復調動作を実行することが可能となる。
【００４０】
実施の形態５．
一概に移動受信といっても、移動速度は様々であり、また、通常の環境下では伝送路も様々な場合が想定され、多様な受信状態が発生することが十分に考えられる。上記実施の形態１〜４では、一つのＯＦＤＭシンボル期間ごとの周波数ドメインデータの電力値を算出していたが、移動の方法によっては、一つのＯＦＤＭシンボル期間ごとの周波数ドメインデータの電力値が、フェージングの影響を正しく反映していない可能性がある。本実施の形態５では、複数のＯＦＤＭシンボル期間を一単位として、複数のＯＦＤＭシンボル期間ごとの周波数ドメインデータの電力値を算出し得る地上波ディジタル放送用受信機について説明する。
【００４１】
図１２は、本発明の実施の形態５に係る地上波ディジタル放送用受信機の構成を示すブロック図である。上記実施の形態４を基礎として、電力演算器２０の代わりに電力演算器２１が設けられている。電力演算器２１には、上記実施の形態４で説明した信号Ｓ１，Ｓ２と、ＯＦＤＭシンボル期間の数を示す信号Ｓ３とが入力される。
【００４２】
電力演算器２１は、各周波数ドメインデータＩ（ｆ），Ｑ（ｆ）に関してＩ（ｆ）×Ｉ（ｆ）＋Ｑ（ｆ）×Ｑ（ｆ）なる演算を行い、その演算結果を、信号Ｓ３で設定されている数のＯＦＤＭシンボル期間単位で積算する。そして、その積算値を、信号Ｓ３で設定されている数のＯＦＤＭシンボル期間内に含まれる周波数ドメインデータの個数で除算することにより、信号Ｓ３で設定されている数のＯＦＤＭシンボル期間ごとの周波数ドメインデータの電力値を算出する。積算の一単位となるＯＦＤＭシンボル期間の数は、信号Ｓ３に応じて可変となる。
【００４３】
ゲインコントロール回路６は、信号Ｓ３で設定されている数のＯＦＤＭシンボル期間ごとの周波数ドメインデータの電力値と、平均電力値Ｐ１との比較において、信号Ｓ３で設定されている数のＯＦＤＭシンボル期間ごとにゲイン補正を行う。
【００４４】
なお、以上の説明では、上記実施の形態４を基礎として本実施の形態５に係る発明について述べたが、本実施の形態５に係る発明は、上記実施の形態１〜３にも適用することができる。
【００４５】
このように本実施の形態５に係る地上波ディジタル放送用受信機によれば、信号Ｓ３によって設定された任意の数のＯＦＤＭシンボル期間を一単位として、その数のＯＦＤＭシンボル期間ごとの周波数ドメインデータの電力値が算出される。従って、移動方法等に応じて最適な積算期間を設定でき、フェージングの影響を積算電力値に正しく反映させることができる。その結果、様々な条件下での移動受信時のゲインコントロールを適切に行え、より正確な復調動作を実行することが可能となる。
【００４６】
実施の形態６．
図１３は、本発明の実施の形態６に係る地上波ディジタル放送用受信機の構成を示すブロック図である。上記実施の形態５を基礎として、フーリエ変換部４とゲインコントロール回路６との間に、ＯＦＤＭシンボル期間単位で周波数ドメインデータを遅延させるための遅延用メモリ３０が追加されている。遅延用メモリ３０には、上記実施の形態５で説明した信号Ｓ３が入力される。遅延用メモリ３０は、フーリエ変換部４から出力された周波数ドメインデータＩ（ｆ），Ｑ（ｆ）を、信号Ｓ３で設定された数のＯＦＤＭシンボル期間だけ遅延して、ゲインコントロール回路６に入力する。
【００４７】
なお、以上の説明では、上記実施の形態５を基礎として本実施の形態６に係る発明について述べたが、本実施の形態６に係る発明は、上記実施の形態１〜４にも適用することができる。
【００４８】
本実施の形態６に係る地上波ディジタル放送用受信機によれば、以下の効果を得ることができる。電力演算器２１は、信号Ｓ３で設定されている数のＯＦＤＭシンボル期間ごとの周波数ドメインデータの電力値を算出するが、この電力値の算出のためには、信号Ｓ３で設定されている数のＯＦＤＭシンボル期間の経過を要する。その一方で、フーリエ変換部４から出力された周波数ドメインデータＩ（ｆ），Ｑ（ｆ）は、信号Ｓ３で設定された数のＯＦＤＭシンボル期間だけ遅延用メモリ３０によって遅延されて、ゲインコントロール回路６に入力される。よって、信号Ｓ３で設定されている数のＯＦＤＭシンボル期間ごとの周波数ドメインデータの電力値に基づいて、そのＯＦＤＭシンボル期間内に含まれる周波数ドメインデータＩ（ｆ），Ｑ（ｆ）に関するゲインコントロールを行うことができる。即ち、積算電力値を算出するための所要時間と同じ時間だけ周波数ドメインデータを遅延させることにより、補正するゲインと周波数ドメインデータとの時間的なずれをなくすことができる。その結果、ゲインコントロールが正確に行われることで、さらに正確な復調動作を実行することが可能となる。
【００４９】
【発明の効果】
この発明のよれば、レイリーフェージング環境下においても最適な状態で復調動作を行うことが可能となり、誤った復調動作が行われることを回避できる。
【図面の簡単な説明】
【図１】本発明の実施の形態１に係る地上波ディジタル放送用受信機の構成を示すブロック図である。
【図２】ＯＦＤＭシンボル期間と、周波数ドメインデータの電力値との関係を示す図である。
【図３】ＯＦＤＭシンボル期間と、周波数ドメインデータの電力値との関係を示す図である。
【図４】ＯＦＤＭシンボル期間と、周波数ドメインデータの電力値との関係を示す図である。
【図５】ゲインコントロール回路のゲイン特性を示す図である。
【図６】本発明の実施の形態２に係る地上波ディジタル放送用受信機の構成を示すブロック図である。
【図７】ゲインコントロール回路のゲイン特性を示す図である。
【図８】本発明の実施の形態３に係る地上波ディジタル放送用受信機の構成を示すブロック図である。
【図９】変換テーブルを用いて変換された後の、ゲインコントロール回路のゲイン特性を示す図である。
【図１０】本発明の実施の形態４に係る地上波ディジタル放送用受信機の構成を示すブロック図である。
【図１１】規格に応じて一つのＯＦＤＭシンボル期間内に含まれる周波数ドメインデータの数を示す図である。
【図１２】本発明の実施の形態５に係る地上波ディジタル放送用受信機の構成を示すブロック図である。
【図１３】本発明の実施の形態６に係る地上波ディジタル放送用受信機の構成を示すブロック図である。
【符号の説明】
４  フーリエ変換部、５，２０，２１  電力演算器、６  ゲインコントロール回路、１０  不感帯判別回路、１５  ＲＯＭ、３０  遅延用メモリ。
【図１】
2004282420.tif 000003
【図２】
2004282420.tif 000004
【図３】
2004282420.tif 000005
【図４】
2004282420.tif 000006
【図５】
2004282420.tif 000007
【図６】
2004282420.tif 000008
【図７】
2004282420.tif 000009
【図８】
2004282420.tif 000010
【図９】
2004282420.tif 000011
【図１０】
2004282420.tif 000012
【図１１】
2004282420.tif 000013
【図１２】
2004282420.tif 000014
【図１３】
2004282420.tif 000015